(57)【要約】【課題】混合液体燃料を容器の外側から過熱する場合、蒸発部、改質部を容器内に連続一体に連接して収容し、装置全体をコンパクト化するとともに、改質部の入口から出口まで容器外側から均一に熱を加えて良質の改質ガスを生成する燃料改質装置を提供する。【解決手段】本発明に係る燃料改質装置は、燃料改質部２６に、燃焼ガスの流れに沿って順に、燃焼室６１、改質反応部５４、混合原燃料蒸発部５５、水蒸発部５６を連続一体に連接して収容させるとともに、前記改質反応部５４、前記混合原燃料蒸発部５５、前記水蒸発部５６のそれぞれの外側から前記燃焼ガスの熱が与えられる構成にした。【選択図】  図１
2005041732.tif 000002
【特許請求の範囲】
【請求項１】
燃料改質部に、燃焼ガスの流れに沿って順に、拡散燃焼器、燃焼室、改質反応部、混合原燃料蒸発部、水蒸発部を連続一体に連接して収容させるとともに、前記改質反応部、前記混合原燃料蒸発部、前記水蒸発部のそれぞれの外側から前記燃焼ガスの熱が与えられる構成にしたことを特徴とする燃料改質装置。
【請求項２】
燃料改質部に、燃焼ガスの流れに沿って順に、触媒燃焼部、改質反応部、混合原燃料蒸発部、水蒸発部を連続一体に連接して収容させるとともに、前記改質反応部、前記混合原燃料蒸発部、前記水蒸発部のそれぞれの外側から前記燃焼ガスの熱が与えられる構成にしたことを特徴とする燃料改質装置。
【請求項３】
連続一体に連接する改質反応部、混合原燃料蒸発部、水蒸発部は、外側に燃焼ガスが流れる通路を備えたことを特徴とする請求項１または２記載の燃料改質装置。
【請求項４】
改質反応部は、断熱部で区画され、区画された内側でオートサーマル改質反応を行わせる第１改質触媒と、その外側で水蒸気改質を行わせる第２改質触媒とを充填させる構成にしたことを特徴とする請求項１または２記載の燃料改質装置。
【請求項５】
改質反応部は、改質触媒の周方向に沿って熱供給部を備えたことを特徴とする請求項２記載の燃料改質装置。
【請求項６】
連続一体に連接する混合原燃料蒸発部、水蒸発部は、周方向に沿って熱供給部を備えたことを特徴とする請求項１または２記載の燃料改質装置。
【請求項７】
熱供給部は電気ヒータで予熱できることを特徴とする請求項５または６記載の燃料改質装置。
【請求項８】
燃焼室は、燃料噴射部と起動用燃料噴射部とを備えたことを特徴とする請求項１記載の燃料改質装置。
【請求項９】
起動用燃料噴射部は、燃料霧化混合部と燃料ノズルとを備えたことを特徴とする請求項８記載の燃料改質装置。
【請求項１０】
起動用燃料噴射部は、液体燃料供給系から供給される液体燃料と空気供給系から供給される空気との混合原燃料を使用する構成にしたことを特徴とする請求項８記載の燃料改質装置。
【請求項１１】
燃料噴射部は、燃料電池本体からのオフガスを使用する構成にしたことを特徴とする請求項８記載の燃料改質装置。
【発明の詳細な説明】
【０００１】
【発明の属する技術分野】
本発明は、灯油、ナフサ、メタノール等の液体燃料を水素リッチなガス燃料に改質させる燃料改質装置に関する。
【０００２】
【従来の技術】
近年、家庭用または車両用等の商業用電源として脚光を浴びている燃料電池装置は、原燃料に都市ガス、プロパン等炭化水素系の気体燃料を使用している。
【０００３】
しかし、気体燃料は、エネルギ密度が低い故に、常に一定量のエネルギの確保または補給が必要であり、さらにパイプラインの基盤が未整備または未発達の地域では大きな貯蔵設備や中継設備の確保が必要になるなどコストの高騰化を招いている。
【０００４】
このため、最近の燃料電池装置では、原燃料を気体燃料から液体燃料に変更する研究開発が進められている。
【０００５】
原燃料を気体燃料から液体燃料に変更する場合、燃料電池装置は、液体燃料を蒸発（気化）させる必要上、従来の改質部に新たに蒸発部（気化部）を加えた構造のものが必要になる。
【０００６】
従来、気体燃料を水素リッチな改質燃料に生成する場合、燃料改質方式には、原燃料に水蒸気を加えて改質触媒を供給し、供給された改質触媒を容器外部から過熱する水蒸気改質法や、原燃料に水蒸気と空気を加え、空気で原燃料を部分酸化させ、その際に発生する熱を利用して同時に水蒸気改質を行わせるオートサーマル改質法、あるいは原燃料に空気を加えて燃焼触媒の作用の下、部分酸化させ、原燃料を水素リッチなガス燃料に改質させる部分酸化改質法とがある。
【０００７】
従来の燃料電池装置は、これらの方式のうち、単独または幾つかとを組み合せて水素リッチなガス燃料を生成していた。
【０００８】
液体燃料を水素リッチなガス燃料に改質させる場合、オートサーマル改質法を適用し、しかも過熱方式を容器の内部から発生させた内部燃焼蒸発形液体燃料改質装置が、例えば特開２００３−３４５０２号公報（例えば、特許文献１参照）に開示されている。
【０００９】
この内部燃焼蒸発形液体燃料改質装置は、図６に示すように、各ノズル１ａ，１ｂから噴射される液体燃料、水、空気の混合原燃料の流れに沿って順に、改質器２に設けた霧化室（蒸発室）３、蒸発燃焼部４、改質触媒部５を備え、霧化室３で霧化させた混合燃料を触媒燃焼部４で酸素の下、触媒燃焼して熱を発生させ、発生した熱で未反応の混合原燃料を蒸発（気化）させ、改質触媒部５で水素リッチな改質ガスを生成するものである。
【００１０】
また、液体燃料を水素リッチなガス燃料に改質させる場合、内部燃焼蒸発形液体燃料改質装置のほかに、混合原燃料を容器の外側から加熱させる外部燃焼蒸発形液体燃料改質装置が提案されている。
【００１１】
この外部燃焼蒸発形液体燃料改質装置は、図７に示すように、霧化室（蒸発室）３を形成する蒸発器６と改質器２とを別置きに備え、蒸発器６に燃料ポンプ７を介して燃料タンク８からの液体原燃料とポンプ９を介して水タンク１０からの水とを供給し、ここで燃料ノズル１１から生成される燃焼ガスが霧化室３の外側を流れる間に、液体燃料と水との混合原燃料を加熱して蒸発（気化）させ、蒸発させた混合原燃料を改質器２に供給し、改質触媒１２の触媒作用の下、水素リッチなガス燃料に改質させ、改質させたガス燃料のうち、一酸化炭素を一酸化炭素変成器１３、選択酸化器１４で除去させた後、燃料電池本体１５の燃料極１６に供給し、空気極１７に、フィルタ２０、ブロア２１を備える空気供給系１８から供給された酸素と化学反応させ、その際、直流起電力を発生させている。
【００１２】
なお、蒸発器６に設けた燃料ノズル１１は、燃料極１６からの未反応燃料と空気極１７からの未反応の空気とで燃焼ガスを生成し、霧化室３の外側から混合原燃料を加熱し、混合原燃料を蒸発（気化）させている。
【００１３】
また、燃料電池本体１５は、冷却板１９を備え、混合原燃料と空気とが化学反応する際に発生する熱を除去する冷却水循環系２２を備えている。
【００１４】
【特許文献１】
特開２００３−３４５０２号公報
【００１５】
【発明が解決しようとする課題】
図６に示した内部燃焼蒸発形液体燃料改質装置は、改質器２を混合液体燃料の流れに沿って霧化室３、改質触媒１２を順次配置する連続一体に連接した構造にできるので装置全体をコンパクト化できる優れたものである反面、混合液体燃料の蒸発（気化）に熱が大部分奪われ、燃料改質に要する熱の温度が低くなり、必ずしも良質の改質ガスが生成されず、ひいては電力発生効率を低下させる問題点が含まれていた。
【００１６】
このため、電力発生効率を高く維持させることを考慮するならば、図７に示した外部燃焼蒸発形液体燃料改質装置が選択される。
【００１７】
しかし、外部燃焼蒸発形液体燃料改質装置は、蒸気室（気化室）を広くして配管スペースを確保しなければならず、コンパクト化に対する大きな支障になっていた。特に、家庭用または車両用の電源として適用する場合、広いスペースの確保ができないだけに何らかの対策が必要とされていた。
【００１８】
また、外部燃焼蒸発形液体燃料改質装置は、配管を備えているため、配管からの放熱を抑制し、その放熱分をエネルギの有効利用の点から燃料改質に振り向ける対策が必要になることはもとより、起動時の熱源の確保、あるいは起動、停止時に蒸発（気化）した混合原燃料が配管に付着し、ここから改質部の改質蒸発に流れ、蒸発効率を著しく低下させる等、何らかの対策を講じなければならない多くの問題点が含まれていた。
【００１９】
本発明は、このような事情に基づいてなされたものであり、混合液体燃料を容器の外側から過熱する場合、蒸発部、改質部を容器内に連続一体に連接して収容し、装置全体をコンパクト化するとともに、改質部の入口から出口まで容器外側から均一に熱を加えてより良質の改質ガスを生成する燃料改質装置を提供することを目的とする。
【００２０】
【課題を解決するための手段】
本発明に係る燃料改質装置は、上述の目的を達成するために、請求項１に記載したように、燃料改質部に、燃焼ガスの流れに沿って順に、燃焼室、改質反応部、混合原燃料蒸発部、水蒸発部を連続一体に連接して収容させるとともに、前記改質反応部、前記混合原燃料蒸発部、前記水蒸発部のそれぞれの外側から前記燃焼ガスの熱が与えられる構成にしたものである。
【００２１】
また、本発明に係る燃料改質装置は、上述の目的を達成するために、請求項２に記載したように、燃料改質部に、燃焼ガスの流れに沿って順に、触媒燃焼部、改質反応部、混合原燃料蒸発部、水蒸発部を連続一体に連接して収容させるとともに、前記改質反応部、前記混合原燃料蒸発部、前記水蒸発部のそれぞれの外側から前記燃焼ガスの熱が与えられる構成にしたものである。
【００２２】
また、本発明に係る燃料改質装置は、上述の目的を達成するために、請求項３に記載したように、連続一体に連接する改質反応部、混合原燃料蒸発部、水蒸発部は、外側に燃焼ガスが流れる通路を備えたものである。
【００２３】
また、本発明に係る燃料改質装置は、上述の目的を達成するために、請求項４に記載したように、改質反応部は、断熱部で区画され、区画された内側でオートサーマル改質反応を行わせる第１改質触媒と、その外側で水蒸気改質を行わせる第２改質触媒とを充填させる構成にしたものである。
【００２４】
また、本発明に係る燃料改質装置は、上述の目的を達成するために、請求項５に記載したように、改質反応部は、改質触媒の周方向に沿って熱供給部を備えたものである。
【００２５】
また、本発明に係る燃料改質装置は、上述の目的を達成するために、請求項６に記載したように、連続一体に連接する混合原燃料蒸発部、水蒸発部は、周方向に沿って熱供給部を備えたものである。
【００２６】
また、本発明に係る燃料改質装置は、上述の目的を達成するために、請求項７に記載したように、熱供給部は電気ヒータで予熱できる構造であることを特徴とするものである。
【００２７】
また、本発明に係る燃料改質装置は、上述の目的を達成するために、請求項８に記載したように、燃焼室は、燃料噴射部と起動用燃料噴射部とを備えたものである。
【００２８】
また、本発明に係る燃料改質装置は、上述の目的を達成するために、請求項９に記載したように、起動用燃料噴射部は、燃料霧化混合部と燃料ノズルとを備えたものである。
【００２９】
また、本発明に係る燃料改質装置は、上述の目的を達成するために、請求項１０に記載したように、起動用燃料噴射部は、液体燃料供給系から供給される液体燃料と空気供給系から供給される空気との混合原燃料を使用する構成にしたものである。
【００３０】
また、本発明に係る燃料改質装置は、上述の目的を達成するために、請求項１１に記載したように、燃料噴射部は、燃料電池本体からのオフガスを使用する構成にしたものである。
【００３１】
【発明の実施の形態】
以下、本発明に係る燃料改質装置の実施形態を図面および図面に付した符号を引用して説明する。
【００３２】
図１は、本発明に係る燃料改質装置の第１実施形態を示す概略縦断面図である。また、図３は、図１で示した本発明に係る燃料改質装置を組み込んだ燃料電池発電プラントを示す概略系統図である。
【００３３】
本実施形態に係る燃料電池発電プラントは、図３に示すように、混合液体燃料供給系２５、燃料改質装置２６、一酸化炭素除去系２７、燃料電池本体２８、冷却水循環系２９とで構成されている。
【００３４】
混合液体燃料供給系２５は、空気供給系３０、液体燃料供給系３１、水供給系３２を備えている。
【００３５】
空気供給系３０は、フィルタ３３、ブロア３４を備え、大気から吸い込んだ空気に含まれる塵埃をフィルタ３３で除去し、ブロア３４で昇圧した後、その一部を一酸化炭素除去系２７、燃料電池本体２８に供給し、その残りの一部を液体燃料供給系３１に、さらにその残りを水供給系３２のそれぞれに供給する。
【００３６】
また、液体燃料供給系３１は、燃料タンク３５、燃料ポンプ３６、燃料用エゼクタ３７を備え、燃料タンク３５からの液体燃料を燃料ポンプ３６で昇圧した後、燃料用エゼクタ３７で空気供給系３０からの空気の吸引力を借りて液体燃料を誘引し、燃料改質部２６に供給する。
【００３７】
また、水供給系３２は、水タンク３８、ポンプ３９を備え、水タンク３８からの水をポンプ３９で昇圧した後、水用エゼクタ４０で空気供給系３０からの空気の吸引力を借りて水を誘引し、燃料改質部２６に供給する。
【００３８】
一方、燃料改質部２６は、供給された液体燃料、空気、水の混合原燃料を蒸発させて気化し、そのガス燃料を改質触媒の触媒作用の下、水素リッチなガス燃料に改質させ、改質させたガス燃料に含まれる一酸化炭素を一酸化炭素除去部２７の一酸化炭素変成器４１および選択酸化器４２で除去させた後、燃料電池本体２８に供給する。
【００３９】
燃料電池本体２８は、燃料極４３、空気極４４、冷却板４５を備え、一酸化炭素除去部２７から燃料極４３に供給された改質ガス燃料と空気供給系３０から空気極４４に供給された空気のうち酸素とで化学反応させ、その際に発生する起電力を集めて直流の電力を発生させる。
【００４０】
また、燃料電池本体２８は、改質ガス燃料を酸素で化学反応させた後、燃料極４３から出た未反応の改質ガス燃料を第１オフガス系４６を介して燃料改質部２６に供給する一方、空気極４４から出た未反応の酸素を第２オフガス系４７を介して燃料改質部２６に供給し、ここで燃料噴射部４８によって燃焼ガスを生成し、燃料改質部２６を外側から加熱する加熱源にしている。
【００４１】
また、燃料電池本体２８は冷却板４５にポンプ４９、放熱器５０を介装させて冷却水循環系２９を備え、冷却水循環系２９から供給される冷却水を冷却板４５を介して各極４３，４４で化学反応の際に生成される熱を冷却する。
【００４２】
このような構成を備える燃料電池発電プラントに組み込まれる燃料改質装置は、図１に示すように、筒状の燃料改質部２６に設けた燃料噴射部４８から生成された燃焼ガスの流れに沿って順に、燃焼室５１、断熱部５２で仕切られた改質触媒５３を充填する改質反応部５４、混合原燃料蒸発部５５、水蒸発部５６を連続一体に連接して収容する構成になっている。
【００４３】
また、断熱部５２で仕切られた改質触媒５３は、内側に第１改質触媒５３ａを充填し、外側に第２改質触媒５３ｂを充填して区画され、第１改質触媒５３ａで合流混合原燃料にオートサーマル改質反応を行わせ、第２改質触媒５３ｂでオートサーマル改質後の合流混合原燃料に水蒸気改質反応を行わせる構成になっている。
【００４４】
このような構成において、本実施形態に係る燃料改質部２６は、図３に示した第１オフガス系４６、第２オフガス系４７のそれぞれから燃料噴射部４８に燃料および酸素が供給され、燃焼室５１で燃焼ガスが生成されると、その燃焼ガスを改質反応部５４、混合原燃料蒸発部５５、水蒸発部５６のそれぞれの外側に形成する通路５７を介して流れ、ここから出口５８を介して外部に排出される。
【００４５】
なお、起動時、水蒸発部５６および混合原燃料蒸発部５５の温度が低い場合には、通路５７に配設された電気ヒータ６１により昇温を行う。安定した運転状態になった後は、各オフガス系４６，４７からの燃料および酸素による燃焼熱で熱が供給されるため、電気ヒータ６１による加熱は停止される。なお、電気ヒータ６１は通路５７に螺旋状に設置され、燃焼ガスから燃料改質部２６、原燃料蒸発部５５および水蒸発部５６への伝熱を促進する。
【００４６】
燃焼ガスが通路５７を流れる間に、水蒸発部５６には、水入口部５９で旋回流が与えられた水が供給される。同時に、混合原燃料蒸発部５５には、混合原燃料入口部６０で旋回流が与えられた混合原燃料が供給される。
【００４７】
なお、水入口部５９および混合原燃料入口部６０のそれぞれは、容器の接線方向に沿って設置し、水および混合原燃料のそれぞれに旋回力を持たせている。また、起動時、通路５７を流れる燃焼ガスの温度が低いとき、混合原燃料蒸発部５５および水蒸発部５６のそれぞれには熱供給部、例えば電気ヒータ６１を巻装し、混合原燃料および水のそれぞれの加熱源として使用される。
【００４８】
電気ヒータ６１または燃焼ガスを加熱源とし、水蒸発部５６で蒸発した水蒸気は、混合原燃料蒸発部５５に供給され、ここで蒸発した混合原燃料と合流し、改質反応部５４に供給される。なお、水蒸発部５６の外側から加熱される温度はライデンフロスト現象が発生しない温度に維持されている。
【００４９】
改質反応部５４は、混合原燃料蒸発部５５から供給された合流混合原燃料を断熱部５２を介して蛇行させ、この間、通路５７を流れる燃焼ガスを加熱源とし、改質触媒５３のうち、第１改質触媒５３ａでオートサーマル改質反応を行わせた後、第２改質触媒５３ｂで水蒸気改質反応を行わせ、より一層水素リッチなガス燃料に改質させ、その改質ガス燃料をガス燃料出口７０を介して図３に示した一酸化炭素除去部２７に供給する。
【００５０】
このように、本実施形態は、燃料改質部２６の燃料噴射部４８から生成される燃焼ガスの流れに沿って順に、燃焼室５１、改質反応部５４、混合原燃料蒸発部５５、水蒸発部５６を連続一体に連接して燃料改質部２６に収容するとともに、改質反応部５４、混合原燃料蒸発部５５、水蒸発部５６のそれぞれを、燃焼室５１からの燃焼ガスを加熱源として外側から加熱させる構成にしたので、装置全体をコンパクト化することができ、外側から熱を均一に加えてより一層良質の改質ガス燃料を生成することができる。
【００５１】
図２は、本発明に係る燃料改質装置の第２実施形態を示す概略縦断面図である。
【００５２】
本実施形態は、燃料電池本体２８の燃料極１６から第１オフガス系４６を介して燃料改質部２６へ供給される燃料の熱量が低く、燃料噴射部４８による拡散燃焼が安定しない場合に適用される形態である。また、燃料噴射部の下流に触媒燃焼部６６を設け熱量の低いガスの安定燃焼を行う構成である。
【００５３】
触媒燃焼部６６は、例えば積層状に配列した燃焼触媒６７の外側に設置する熱供給部、例えば電気ヒータ６８と、改質触媒６７を支持し、断熱材で作製された支持台６９とを備えている。
【００５４】
なお、他の構成要素は、図１で示した構成要素と同一なので、その構成要素の符号をそのまま使用し、重複説明を省略する。
【００５５】
上述の構成を備える触媒燃焼部６６は、起動時、支持台６９で支持される燃焼触媒６７を電気ヒータ６８の熱で加熱させ、加熱させた燃焼触媒６７に燃料噴射部４８からオフガスを導入して燃焼反応させて燃焼ガスを生成し、生成した燃焼ガスを通路５７に供給し、ここから改質反応部５４、混合原燃料蒸発部５５、水蒸発部５６のそれぞれの外側から内側に向って均一に熱を与えている。なお、電気ヒータ６８は、第１オフガス系４６、第２オフガス系４７からのオフガスが燃焼触媒６７に供給されるまで燃焼触媒６７を加熱するために使用される。燃焼触媒６７において燃焼反応が進行し予め定められた温度になった後は、電気ヒータ６８による加熱は停止される。
【００５６】
また、図４および図５は、起動時に図２に示した電気ヒータ６１を使用しない本発明に係る燃料改質装置および燃料改質装置を組み込んだ燃料電池発電プラントの第３実施形態を示す概略図である。起動時に電気ヒータ６１を使用しないことより、起動時、電力を節減でき、外部からの電源供給が無い条件においても発電が可能なシステムである。
【００５７】
本実施形態は、図４に示すように、燃料改質部２６の燃焼室５１に、通常運転時に使用する燃料噴射部４８と起動運転時に使用する起動用燃料噴射部６２とを設けたものである。
【００５８】
この起動用燃料噴射部６２は、図５に示すように、燃料混合部６３ａと燃料ノズル６３ｂとで構成されている。なお、燃料ノズル６３ｂは、原燃料を微細に霧化するアトマイズノズル構造になっている。
【００５９】
また、起動用燃料噴射部６２には、混合液体燃料部２５の液体燃料供給系３１から分岐する起動用液体燃料供給系６４と、空気供給系３０から分岐する起動用空気供給系６５とが設けられている。
【００６０】
なお、他の構成要素は、燃料改質部２６を除いて図２および図３で示した構成要素と同一なので、その構成要素の符号をそのまま使用し、重複説明を省略する。
【００６１】
このような構成を備える燃料電池発電プラントに組み込まれる燃料改質装置は、図４に示すように、筒状の燃料改質部２６に設けた燃料改質部４８または起動用燃料噴射部６２からの混合原燃料の流れに沿って順に、燃焼室５１、触媒燃焼部６６、断熱部５２で仕切られた改質触媒５３を充填する改質反応部５４、混合原燃料蒸発部５５、水蒸発部５６を連続一体に連接して収容する構成になっている。燃焼ガスの通路５７には電気ヒータ６１の代わりに、伝熱促進体７１が設置される。
【００６２】
このように、本実施形態は、燃料改質部２６に燃料噴射部４８と起動用燃料噴射部６２とを設けるとともに、燃料噴射部４８または起動用燃料噴射部６２からの混合原燃料の流れに沿って順に、燃焼室５１、触媒燃焼部６６、改質反応部５４、混合原燃料蒸発部５５、水蒸発部５６を連続一体に連接して燃料改質部２６に収容させ、混合原燃料から水素リッチな燃焼ガスを生成する構成にしたので、装置全体のコンパクト化の下、起動時間をより一層短くして良質の改質燃料ガスを生成することができる。
【００６３】
【発明の効果】
以上の説明のとおり、本発明に係る燃料改質装置は、一つの装置内で燃焼ガスの生成、混合原燃料の改質、混合原燃料の蒸発、水の蒸発を同時に連続して行うことができる構成にするとともに、混合原燃料の改質、混合原燃料の蒸発、水の蒸発に際し、外側から燃焼ガスの熱を均一に与えて行うことができる構成にしたので、装置をコンパクト化することができ、より一層良質の改質燃料ガスを生成することができる。
【００６４】
また、本発明に係る燃料改質装置は、燃料改質部に、通常運転時に使用する燃料噴射部のほかに起動用燃料噴射部を設け、この起動用燃料輻射部に混合原燃料を確実に供給できる構成にするとともに、混合原燃料から燃焼ガスを生成する触媒燃焼部を設けたので、起動時間をより一層早めることができる。
【図面の簡単な説明】
【図１】本発明に係る燃料改質装置の第１実施形態を示す概略縦断面図。
【図２】本発明に係る燃料改質装置の第２実施形態を示す概略縦断面図。
【図３】図１または図２に示した燃料改質装置を組み込んだ燃料電池発電プラントの概略系統図。
【図４】本発明に係る燃料改質装置の第３実施形態を示す概略断面図
【図５】図４に示す燃料改質装置を組み込んだ燃料電池発電プラントの概略系統図。
【図６】従来の燃料改質装置を示す概念図。
【図７】従来の燃料改質装置を組み込んだ燃料電池発電プラントの概略系統図。
【符号の説明】
１ａ，１ｂ  ノズル
２  改質器
３  霧化室
４  触媒燃焼部
５  改質触媒部
６  蒸発器
７  燃料ポンプ
８  燃料タンク
９  ポンプ
１０  水タンク
１１  燃料ノズル
１２  改質触媒
１３  一酸化炭素変成器
１４  選択酸化器
１５  燃料電池本体
１６  燃料極
１７  空気極
１８  空気供給系
１９  冷却板
２０  フィルタ
２１  ブロア
２２  冷却水循環系
２５  混合液体燃料供給部
２６  燃料改質部
２７  一酸化炭素除去部
２８  燃料電池本体
２９  冷却水循環系
３０  空気供給系
３１  液体燃料供給系
３２  水供給系
３３  フィルタ
３４  ブロア
３５  燃料タンク
３６  燃料ポンプ
３７  燃料用エゼクタ
３８  水タンク
３９  ポンプ
４０  水用エゼクタ
４１  一酸化炭素変成器
４２  選択酸化器
４３  燃料極
４４  空気極
４５  冷却板
４６  第１オフガス系
４７  第２オフガス系
４８  燃料噴射部
４９  ポンプ
５０  放熱器
５１  燃焼室
５２  断熱部
５３  改質触媒
５３ａ  第１改質触媒
５３ｂ  第２改質触媒
５４  改質反応部
５５  混合原燃料蒸発部
５６  水蒸発部
５７  通路
５８  出口
５９  水入口部
６０  混合原燃料入口部
６１  電気ヒータ
６２  起動用燃料噴射部
６３ａ  燃料混合部
６３ｂ  燃料ノズル
６４  起動用液体燃料供給系
６５  起動用空気供給系
６６  触媒燃焼部
６７  燃焼触媒
６８  電気ヒータ
６９  支持台
７０  ガス燃料出口
７１  伝熱促進体
【図１】
2005041732.tif 000003
【図２】
2005041732.tif 000004
【図３】
2005041732.tif 000005
【図４】
2005041732.tif 000006
【図５】
2005041732.tif 000007
【図６】
2005041732.tif 000008
【図７】
2005041732.tif 000009